(57)【特許請求の範囲】
【請求項１】
脆質シートの表面に疑似接着糊を介して基材シートが脆質シートを破壊しないように剥離可能に貼り合わされ、かつ、脆質シートの裏面に粘着剤が塗布されている包装ラベルを、商品をラッピングした包装紙の紙端に上記粘着剤を介して貼り付けておき、
上記包装紙の開封時に、上記脆質シートから上記基材シートを剥離し、その後、上記包装紙に残された脆質シートを裂いて包装紙の紙端を分離することにより、上記包装紙を傷付けずに開封することを特徴とする包装紙の開封方法。
【請求項２】
脆質シートの表面にシーリングワックスが塗布され、かつ、脆質シートの裏面に粘着剤が塗布されている包装ラベルを、商品をラッピングした包装紙の紙端に上記粘着剤を介して貼り付けておき、
上記包装紙の開封時に、上記シーリングワックスを削り取り上記脆質シートを裂いて包装紙の紙端を分離するか、あるいは、上記脆質シートを上記シーリングワックスごと裂いて包装紙の紙端を分離することにより、上記包装紙を傷付けずに開封することを特徴とする包装紙の開封方法。
【請求項３】
脆質シートの表面にシーリングワックスが塗布され、かつ、脆質シートの裏面に粘着剤が塗布されていることを特徴とする包装ラベル。
【発明の詳細な説明】
【０００１】
【発明の属する技術分野】
本発明は商品のラッピング時に使用する包装ラベル並びに包装紙の開封方法に関するもので、商品を簡単に開封でき、かつ包装紙の再利用を有効に行なえるようにした包装ラベル並びに包装紙の開封方法に関する。
【０００２】
【従来の技術】
最近、商品のラッピングは大変に手間をかけたものが多くなってきており、これに使用する包装紙も意匠性に優れたものが多く使われ、特に記念品や贈答品等には体裁の良いラッピングが施されることが常である。
【０００３】
そして、商品をラッピングする際には、商品を包装紙でパッケージする際、仮止めラベルで仮止めしておき、最終的に包装紙の紙端に包装ラベルを貼付して完了するが、これら仮止めラベルや包装ラベルは、接着力が強く、かつ破れづらい丈夫な材質のものが使用される傾向にある。
【０００４】
【発明が解決しようとする課題】
このように、従来の商品のラッピングに使用される包装ラベルや仮止めラベルは、丈夫なものが多く、かつ接着力も強固なものであるため、包装ラベルや仮止めラベルを剥がす際、剥がしづらく、包装紙を解く際、包装紙が破れたり傷付いたりして包装紙の再利用が不可能になることが多い。
【０００５】
従って、商品のラッピングを解く際、包装ラベルや仮止めラベルの剥離操作が簡単に行なえ、かつ包装紙が損傷を受けることがなく、包装紙の有効利用を図ることが切望とされていた。
【０００６】
本発明は、このような事情に鑑みてなされたもので、従来、偽造防止，改竄防止の目的で使用されていた脆質シートの特性を利用して、商品のラッピング時に使用する包装ラベルに上記脆質シートを適用することでラッピングの開封作業が手際良く行なえ、かつ包装紙を傷付けることがなく、包装紙の有効利用を図ることができる包装ラベル並びに包装紙の開封方法を提供することを目的としている。
【０００７】
【課題を解決するための手段】
上記目的を達成するために、請求項１に記載の発明は、脆質シートの表面に疑似接着糊を介して基材シートが脆質シートを破壊しないように剥離可能に貼り合わされ、かつ、脆質シートの裏面に粘着剤が塗布されている包装ラベルを、商品をラッピングした包装紙の紙端に上記粘着剤を介して貼り付けておき、上記包装紙の開封時に、上記脆質シートから上記基材シートを剥離し、その後、上記包装紙に残された脆質シートを裂いて包装紙の紙端を分離することにより、上記包装紙を傷付けずに開封することを特徴とする包装紙の開封方法である。
【０００８】
請求項２に記載の発明は、脆質シートの表面にシーリングワックスが塗布され、かつ、脆質シートの裏面に粘着剤が塗布されている包装ラベルを、商品をラッピングした包装紙の紙端に上記粘着剤を介して貼り付けておき、上記包装紙の開封時に、上記シーリングワックスを削り取り上記脆質シートを裂いて包装紙の紙端を分離するか、あるいは、上記脆質シートを上記シーリングワックスごと裂いて包装紙の紙端を分離することにより、上記包装紙を傷付けずに開封することを特徴とする包装紙の開封方法である。
【０００９】
請求項３に記載の発明は、脆質シートの表面にシーリングワックスが塗布され、かつ、脆質シートの裏面に粘着剤が塗布されていることを特徴とする包装ラベルである。
【００１０】
以上の構成から明らかなように、請求項１に記載の発明によれば、商品を包装紙を使用してラッピングした後、脆質シート裏面の剥離紙を剥離して、包装ラベルにより包装紙の紙端をシールする。
【００１１】
従って、ラッピングを解く時には、脆質シート表面に疑似接着されている基材シートを剥がせば、脆質シートの易破壊性により包装ラベルはシャープに裂け、簡単に包装紙を解くことができる。
【００１２】
また、基材シートを剥がした後は、疑似接着剤であるため、剥がした後のベタツキ等がない。
【００１３】
同様に請求項２または請求項３に記載の発明では、脆質シート表面に施されている封蝋（シーリングワックス）を取り除いたり、封蝋ごと開封すれば、これも脆質シートの易破壊性により包装ラベルはシャープに裂け、包装紙を傷付けることなく簡単に包装を解くことができる。
【００１５】
【発明の実施の形態】
以下、本発明に係る包装ラベル並びに包装紙の開封方法の実施形態について、添付図面を参照しながら詳細に説明する。
【００１６】
図１乃至図５は本発明に係る包装ラベルに関するもので、図１は包装ラベルの一実施形態を示す断面図、図２，図３は同包装ラベルの使用形態を示す説明図、図４は同包装ラベルの供給形態を示す各説明図、図５は包装ラベルの別実施形態を示す断面図である。
【００１７】
また、図６乃至図１０は本発明を仮止めラベルに適用した実施形態を示すもので、図６は仮止めラベルの構成を示す断面図、図７乃至図８は同仮止めラベルの使用形態を示す説明図、図９は同仮止めラベルの供給形態を示す説明図、図１０は包装ラベルと仮止めラベルの供給形態を示す説明図である。
【００１８】
まず、図１乃至図５に基づいて本発明を包装ラベル１０に適用した実施形態について説明する。
【００１９】
図１において、包装ラベル１０は、脆質塩ビ等の脆質シート２０の裏面に粘着剤２１が塗布され、この粘着剤２１面に剥離紙２２が貼付されている。
【００２０】
一方、この脆質シート２０の表面には、紙材等の基材シート３０が疑似接着糊４０，４１を介して剥離可能に貼付されており、この基材シート３０の表面には、商品名，ブランド名，店名，ロゴマーク、その他装飾模様等が印刷処理、あるいは（高級感のある）エンボス加工等で形成されている。尚、図中符号３１は印刷箔，印刷インキ等を示す。
【００２１】
次に、この包装ラベル１０の使用形態について図２，図３を基に説明すると、商品５０を包装紙５１によりその外表面をラッピングし、ラッピング作業の最後に包装紙５１の紙端をシールするが、その際、包装ラベル１０の剥離紙２２を剥離操作して粘着剤２１を介して包装ラベル１０を包装紙５１面にシールする。
【００２２】
そして、基材シート３０の剛性により、ラッピング状態を確実に維持できるが、包装紙５１を解いて商品５０を取り出す際には、図示するように基材シート３０は脆質シート２０の表面に剥離可能に貼付されているため、基材シート３０を手際良く剥離操作することができ、基材シート３０を取り除いた後は、包装紙５１面は脆質シート２０により包装紙５１の紙端がシールされているだけなので、脆質シート２０の易破壊性によりシャープに裂け、包装紙５１の紙端が容易に分離し、図示するように簡単に包装紙５１を解くことができる。尚、脆質シート２０は透明状態のものが好ましく、また、疑似接着糊４０は通常の接着剤のようにベタツクことがなく、体裁も良く、また、チリやホコリ等が付着することがなく、包装紙５１を綺麗な状態で保管することができ、必要な時に包装紙５１の再利用が可能となる。
【００２３】
このように、本実施形態によれば、従来、偽造防止や改竄防止に使用されている脆質シート２０の易破壊性という特質を利用するとともに、基材シート３０との間に疑似接着糊４０，４１を介して再剥離可能に貼付するという構成を採用したため、包装紙５１のラッピングを解く際の作業性が良く、このとき、装紙５１が破れたりすることがなく、美麗な状態で包装紙５１を保管することができ、必要なとき再利用が可能となる。
【００２４】
また、上記包装ラベル１０は、図４（ａ）に示すように、ロール用紙Ａの形態で供給されても良く、また、図４（ｂ）に示すように、単片状のシートＢの形態で供給されても良い。尚、所望により剥離紙２２を省略しても良い。
【００２５】
次いで、図５は包装ラベル１０の別実施形態を示すもので、基材シート３０に替えて封蝋（シーリングワックス）加工を脆質シート２０の表面に施した実施形態を示す。すなわち、脆質シート２０の表面には、シーリングワックス６０が塗布されており、その上面に凹凸模様６１が形成され、店名や商品名，ブランド名，ロゴマーク，装飾模様等が刻設されている。
【００２６】
この封蝋とは、封書や瓶などを封印するために昔から用いられてきた封印方法のひとつであり、具体的には、熱溶融させたホットメルト蝋材を封印部分に付着させた後、その蝋材に家紋などを浮き彫りにした耐熱性の封緘用マークを押し当てて立体感のある封印を形成するものである。
【００２７】
この場合においても、商品５０を包装紙５１でラッピングした際、この包装ラベル１０により強固なラッピング状態が得られるとともに、この包装紙５１を解く際には、シーリングワックス６０を爪先等で削り取れば、脆質シート２０は易破壊性であるためシャープに裂け、包装紙５１の紙端が容易に分離し、包装紙５１を傷付けることなく美麗な状態で包装を解くことができ、第１実施形態と同様の作用効果を有する。
【００２８】
次に、図６乃至図１０は本発明を仮止めラベル７０に適用した実施形態を示すもので、脆質シート２０裏面に粘着剤２１が塗布されており、粘着剤２１面に剥離紙２２が貼付されているという構成であり、脆質シート２０は透明状態のものが好ましい。
【００２９】
そして、図７に示すように、商品５０を包装紙５１で包装する際、仮止め部分に仮止めラベル７０として包装紙５１の紙端に貼付される。
【００３０】
この場合においても、商品５０のラッピングを解く際、包装紙５１の仮止め部分を解放する際、図８に示すように脆質シート２０の易破壊性により仮止めラベル７０はシャープに裂け、容易に包装紙５１紙端の分離が可能となり、包装紙５１を傷付けることなく仮止め状態を解くことができる。また、同様に、所望により剥離紙２２を省略しても良い。
【００３１】
そして、この仮止めラベル７０の供給形態としては、図９（ａ）に示すように、ロール用紙ａに所定間隔毎に切り目を形成して仮止めラベル７０を供給しても良く、また、図９（ｂ）に示すように、縦横方向に切り目を設けた単片シートｂの形態で供給されても良い。
【００３２】
更に、図１０に示すように、包装ラベル１０と仮止めラベル７０とを同一シートＣで作製しても良く、その場合には、シートＣの下半部分Ｃ1 を仮止めラベル７０用として、上半部分Ｃ2 を包装ラベル１０用として形成しておけば良く、このように同一のシートＣに包装ラベル１０並びに仮止めラベル７０を形成することにより、商品５０を包装紙５１でラッピングする際、仮止めラベル７０及び包装ラベル１０を貼付し易く、ラッピング作業が円滑に行なえるという有利さがある。
【００３３】
【発明の効果】
以上説明した通り、本発明に係る包装ラベル並びに包装紙の開封方法は、以下に記載する格別の作用効果を有する。
【００３４】
（１）請求項１に記載の発明によれば、脆質シートの表面に疑似接着糊を介して基材シートを剥離可能に貼付するという構成であるため、商品のラッピングを解く時には、基材シートを簡単に剥離操作することができ、その後、脆質シートの易破壊性によりシャープに裂け、包装紙の紙端を手際良く分離操作できるため、ラッピングを解く作業が簡単に行なえ、かつ包装紙が傷付いたりすることがなく、美麗な状態で包装を解くことができ、包装紙の保護、再利用を図ることができるという効果を有する。
【００３５】
（２）請求項２または請求項３に記載の発明によれば、脆質シートの表面に装飾機能を兼ねた封蝋（シーリングワックス）加工を行なうとともに、凹凸模様を付設するという構成であるため、包装のラッピングを解く時には、この封蝋（シーリングワックス）部分を爪先等で削り取れば、後は脆質シートの易破壊性によりシャープに裂け、包装紙の紙端を手際良く分離することができ、簡単な操作でかつ包装紙を傷付けることがなく美麗な状態で包装を解くことができ、包装紙の保護が図れ、再利用が可能になるという効果を有する。
【図面の簡単な説明】
【図１】本発明に係る包装ラベルの一実施形態を示す断面図。
【図２】図１に示す包装ラベルの使用形態を示す説明図。
【図３】図１に示す包装ラベルにおける使用形態を示す断面図。
【図４】同包装ラベルの供給形態を示す説明図。
【図５】本発明に係る包装ラベルの別実施形態を示す断面図。
【図６】本発明を適用した仮止めラベルの一実施形態を示す断面図。
【図７】同仮止めラベルの使用形態を示す説明図。
【図８】同仮止めラベルの分離状態を示す説明図。
【図９】同仮止めラベルの供給形態を示す説明図。
【図１０】包装ラベルと仮止めラベルとの供給形態を示す説明図。
【符号の説明】
１０  包装ラベル
２０  脆質シート
２１  粘着剤
２２  剥離紙
３０  基材シート
３１  印刷箔，印刷インキ
４０，４１  疑似接着糊
５０  商品
５１  包装紙
６０  シーリングワックス
６１  凹凸模様
７０  仮止めラベル
【図１】
0003821455.tif 000002
【図２】
0003821455.tif 000003
【図３】
0003821455.tif 000004
【図４】
0003821455.tif 000005
【図５】
0003821455.tif 000006
【図６】
0003821455.tif 000007
【図７】
0003821455.tif 000008
【図８】
0003821455.tif 000009
【図９】
0003821455.tif 000010
【図１０】
0003821455.tif 000011